(57)【要約】  湿式煙道ガス脱硫（ＷＦＧＤ）システムは、吸着容器に供給された煙道ガスから汚染物を除去するように働く吸着容器を備える。吸着容器は、その中に試薬スラリーを収容するためのスラリー区分とスラリー区分に流体接続された出口とを有する。ＷＦＧＤシステムは、出口に流体接続された水銀除去容器を備える。水銀除去容器は、その中に配置された活性炭を含む。
2015509845.tif 000002
【特許請求の範囲】
【請求項１】
湿式煙道ガス脱硫システムであって、
吸着容器に供給された煙道ガスから汚染物を除去するように働き、試薬スラリーを収容するためのスラリー区分と該スラリー区分に流体接続された出口とを有する、吸着容器と、
前記出口に流体接続され、その中に配置された活性炭を含む、水銀除去容器と、
を備えることを特徴とする、煙道ガス脱硫システム。
【請求項２】
活性炭は、堆積物、移動床、流動床のうちの１つとして前記水銀除去容器内に配置されていて、水銀を多く含有する排出液と混合される、請求項１記載の湿式煙道ガス脱硫システム。
【請求項３】
活性炭は、前記水銀除去容器に受け取られた試薬スラリーからほぼ全ての水銀を除去するように働く、請求項１記載の湿式煙道ガス脱硫システム。
【請求項４】
活性炭は、細片及び／又は粒の状態で存在する、請求項１記載の湿式煙道ガス脱硫システム。
【請求項５】
前記水銀除去容器は、当該湿式煙道ガス脱硫システム内に取外し可能に位置決めされている、請求項１記載の湿式煙道ガス脱硫システム。
【請求項６】
前記水銀除去容器は、前記吸着容器に流体接続された出口を有する、請求項１記載の湿式煙道ガス脱硫システム。
【請求項７】
湿式煙道ガス脱硫システムを運転する方法であって、
吸着容器を設け、該吸着容器は、試薬スラリーを収容するためのスラリー区分と、該スラリー区分に流体接続された出口とを有し、該出口は、水銀除去容器に流体接続されており、該水銀除去容器は、その中に配置された活性炭を含み、
前記吸着容器に試薬及び水を供給し、
水銀を含む煙道ガスを前記吸着容器に流し、
試薬スラリーが水銀を吸着し、水銀を多く含有する試薬スラリーを生成し、
水銀を多く含有する試薬スラリーの一部を前記水銀除去容器に供給し、
前記水銀除去容器内に配置された活性炭により、水銀を多く含有する試薬から水銀を吸着し、これにより、処理済みの試薬スラリーを生成する、
ことを特徴とする、湿式煙道ガス脱硫システムを運転する方法。
【請求項８】
処理済み試薬スラリーを前記吸着容器に供給する、請求項７記載の方法。
【請求項９】
活性炭を、堆積物、移動床、流動床のうちの１つとして前記水銀除去容器内に配置し、水銀を多く含有する排出液と混合させる、請求項７記載の方法。
【請求項１０】
湿式煙道ガス脱硫システムであって、
吸着容器に供給された煙道ガスから汚染物を除去するように働き、試薬スラリーを収容するためのスラリー区分と該スラリー区分に流体接続された出口とを有する、吸着容器と、
前記出口に流体接続された脱水システムと、
前記脱水システムに流体接続されかつ前記脱水システムの下流側に位置決めされた、その中に配置された活性炭を含む、水銀除去容器と、
を備えることを特徴とする、湿式煙道ガス脱硫システム。
【請求項１１】
活性炭は、堆積物、移動床、流動床のうちの１つとして前記水銀除去容器内に配置されていて、水銀を多く含有する排出液と混合される、請求項１０記載の湿式煙道ガス脱硫システム。
【請求項１２】
活性炭は、前記水銀除去容器に受け取られた試薬スラリーからほぼ全ての水銀を除去するように働く、請求項１０記載の湿式煙道ガス脱硫システム。
【請求項１３】
活性炭は、細片及び／又は粒の状態で存在する、請求項１０記載の湿式煙道ガス脱硫システム。
【請求項１４】
前記水銀除去容器は、当該湿式煙道ガス脱硫システム内に取外し可能に位置決めされている、請求項１０記載の湿式煙道ガス脱硫システム。
【請求項１５】
前記水銀除去容器は、前記吸着容器に流体接続された出口を有する、請求項１０記載の湿式煙道ガス脱硫システム。
【請求項１６】
前記脱水システムは、脱水分級機と、固形物移送タンクと、排出液容器と、フィルタとを備え、前記脱水分級機は、前記吸着容器の下流側に位置決めされかつ前記吸着容器に流体接続されており、前記固形物移送タンクは、前記脱水分級機の下流側に位置決めされかつ前記脱水分級機に流体接続されており、前記フィルタは、前記固形物移送タンクの下流側に位置決めされかつ前記固形物移送タンクに流体接続されており、前記排出液容器は、前記フィルタ及び前記脱水分級機の下流側に位置決めされかつ前記フィルタ及び前記脱水分級機に流体接続されており、前記水銀除去容器は、前記排出液容器の下流側に位置決めされかつ前記排出液容器に流体接続されていてかつ前記吸着容器に流体接続されている、請求項１０記載の湿式煙道ガス脱硫システム。
【請求項１７】
湿式煙道ガス脱硫システムを運転する方法であって、
吸着容器を設け、該吸着容器は、試薬スラリーを収容するためのスラリー区分と、該スラリー区分に流体接続された出口とを有し、
前記出口に流体接続された脱水システムを設け、
水銀除去容器を設け、該水銀除去容器は、前記脱水システムに流体接続されかつ前記脱水システムの下流側に位置決めされており、前記水銀除去容器は、その中に配置された活性炭を含み、
前記吸着容器に試薬及び水を供給し、
水銀を含む煙道ガスを前記吸着容器に流し、
水銀を吸着して、水銀を多く含有する試薬スラリーを生成し、
水銀を多く含有する試薬スラリーの一部を前記脱水システムに供給し、水銀を多く含有するスラリーから固形物を分離して、水銀を多く含有する排出液を生成し、
水銀を多く含有する排出液を前記水銀除去容器に供給し、
前記水銀除去容器において活性炭により水銀を多く含有する排出液から水銀を吸着し、これにより、処理済みの排出液を生成する、
ことを特徴とする、湿式煙道ガス脱硫システムを運転する方法。
【請求項１８】
処理済みの排出液を前記吸着容器に供給する、請求項１７記載の方法。
【請求項１９】
活性炭を、堆積物、移動床、流動床のうちの１つとして前記水銀除去容器内に配置し、水銀を多く含有する排出液と混合させる、請求項１７記載の方法。
【発明の詳細な説明】
【技術分野】
【０００１】
本発明は、概して、湿式煙道ガス脱硫（ＷＦＧＤ）システムの水銀捕捉に関し、特に、ＷＦＧＤ吸着容器から供給された試薬スラリーから水銀を吸着するための、その中に配置された活性炭を含む別の容器に流体接続された出口を有するＷＦＧＤ吸着容器に関する。
【０００２】
背景技術
幾つかの火力発電プラントは、蒸気を発生させるために石炭を燃焼させる。蒸気は、次に電気の発生に用いられる。石炭は、硫黄を含有する。石炭の燃焼の結果、硫黄の一部は酸素と反応し、二酸化硫黄（ＳＯ2）を生成する。二酸化硫黄は、石炭の燃焼により発生させられる煙道ガス内に存在する。二酸化硫黄は、周知の汚染物である。煙道ガスは、同様に、パティキュレート、窒素酸化物（ＮＯx）、水銀、二酸化炭素（ＣＯ2）等を含むがこれに制限されない汚染物質を含有することがある。水銀、特に有機的に結合された水銀は、人の重大な健康危害を引き起こす。
【０００３】
従って、幾つかの国では、大気に放出される煙道ガス中の二酸化硫黄及び水銀の量を制限する環境規制が制定されている。放出前に煙道ガス中の二酸化硫黄を減らす又は除去する１つの方法は、脱硫吸着塔において煙道ガスを処理することである。煙道ガスは、吸着塔内で湿石灰石のスラリー（ＣａＣＯ3）と反応することができ、これにより、亜硫酸カルシウム（ＣａＳＯ3）や硫酸カルシウム（ＣａＳＯ4）が生成される。イオン化水銀（つまりＨｇ2+）のような水銀の一部は、初めに脱硫吸着塔において除去することができる。しかし、脱硫吸着塔における化学反応の結果、捕捉されたＨｇ2+の一部は、変態して元素状水銀（つまりＨｇ0）に戻って煙道ガスに戻されることがあり、「再放出された」水銀と云われる。そのような再放出は、規制された境界を超えて煙道ガス中の水銀レベルを増やすことがある。
【０００４】
発明の概要
本明細書に開示された態様に基づいて、吸着容器に供給された煙道ガスから汚染物を除去するように働く吸着容器を備える湿式煙道ガス脱硫（ＷＦＧＤ）システムが提供される。吸着容器は、その中の試薬スラリーを収容するためのスラリー区分を画定する。吸着容器は、スラリー区分に流体接続された出口を有する。加えて、ＷＦＧＤシステムは、出口に流体接続された水銀除去容器を備える。水銀除去容器は、その中に配置された活性炭を含む。１つの態様では、活性炭は、水銀除去容器内で、堆積物として、かつ／又は移動床として、かつ／又は流動床として、かつ／又は水銀を多く含有する排出液と混合して、配置されている。
【０００５】
本明細書に規定された別の態様によれば、活性炭は、水銀除去容器内に受け取られた試薬スラリーからほぼ全ての水銀を除去するように働く。１つの態様では、活性炭は、細片及び／又は粒の状態で存在する。
【０００６】
本明細書に開示された更に別の態様によれば、吸着容器に供給された煙道ガスから汚染物を除去するように働く吸着容器を備えるＷＦＧＤシステムが提供される。吸着容器は、その中に試薬スラリーを収容するためのスラリー区分を画定する。吸着容器は、スラリー区分に流体接続された出口を有する。ＷＦＧＤシステムは、出口に流体接続された脱水システムを備える。ＷＦＧＤシステムは、脱水システムに流体接続されかつ脱水システムの下流側に位置決めされた水銀除去容器を備える。水銀除去容器は、その中に配置された活性炭を含む。１つの態様によれば、活性炭は、水銀除去容器内で、堆積物として、かつ／又は移動床として、かつ／又は流動床として、かつ／又は水銀を多く含有する排出液と混合して、配置されている。
【０００７】
同様に、本明細書においてＷＦＧＤシステムを運転する方法が開示されている。本方法は、その中に試薬スラリーを収容するためのスラリー区分を画定する吸着容器を設けることを含む。吸着容器は、スラリー区分に流体接続された出口を有する。出口は、水銀除去容器と流体接続されている。水銀除去容器は、その中に配置された活性炭を含む。試薬及び水が吸着容器に供給される。水銀を含む煙道ガスは、吸着容器に導入され、これに試薬スラリーが接触させられる。試薬スラリーは、水銀を吸着し、水銀を多く含有する（つまり水銀を多く含有する試薬スラリー）。水銀を多く含有する試薬スラリーの一部は、水銀除去容器に供給される。活性炭が、水銀を多く含有するスラリーから水銀を吸着し、これにより、処理済みの試薬スラリーが生成される。処理済みの試薬スラリーは、吸着容器に戻される。
【０００８】
同様に、本明細書においてＷＦＧＤシステムを運転する別の方法が開示されている。この別の方法は、その中に試薬スラリーを収容するためのスラリー区分を画定する吸着容器を設けることを含む。吸着容器は、スラリー区分に流体接続された出口を有する。脱水システムが、出口に流体接続されている。水銀除去容器が、脱水システムの下流側に位置決めされていてかつ脱水システムに流体接続されている。水銀除去容器は、その中に配置された活性炭を含む。本方法は、吸着容器に試薬及び水を供給することを含む。水銀を含む煙道ガスが、吸着容器に導入され、これに試薬スラリーが接触させられる。試薬スラリーは、水銀を吸着し、水銀を多く含有する（つまり水銀を多く含有する試薬スラリー）。水銀を多く含有するスラリーの一部は、脱水システムに導入される。固形物が、水銀を多く含有する試薬スラリーから分離され、これにより、脱水システムに導入される水銀を多く含有する試薬スラリーよりも極めて低いレベルの浮遊物を含む、水銀を多く含有する排出液の流れが形成される。水銀を多く含有する排出液は、水銀除去容器に供給され、そこで、活性炭が、水銀を多く含有する排出液から水銀を吸着し、これにより、処理済みの排出液が生成される。処理済みの排出液は、吸着容器又はＷＦＧＤシステムの別の位置に戻される。処理済みの排出液の一部は、排出又は他の目的のために更に処理するために、ＷＦＧＤシステムから送出される。
【０００９】
以下に、図面を参照すると、全ての同等の構成要素には関連する符号が付されている。
【図面の簡単な説明】
【００１０】
【図１】本明細書において開示される湿式煙道ガス脱硫システムの概略横断面図である。
【図２】本明細書において開示される別の湿式煙道ガス脱硫システムの概略横断面図である。
【００１１】
詳細な説明
図１に示されているように、煙道ガス流から二酸化硫黄（ＳＯ2）及び水銀のような汚染物を除去するのに使用するための湿式煙道ガス脱硫（ＷＦＧＤ）システムには、総じて符号１０が付されている。湿式煙道ガス脱硫システムは、内部域１２Ａを有する吸着容器１２を備える。内部域の一部は、試薬スラリー１６を収容するためのスラリー区分１４を画定する。スラリー区分１４は、吸着容器１２の底部１８から境界面２０に向けて上方に延在している。境界面２０は、試薬スラリー１６（つまりフォーム、エアレーションされたスラリー及び／又はスラリーの状態の石灰石ＣａＣＯ3のような試薬２３）と、内部域１２Ａの処理域１５内で流れる煙道ガス３４Ａとを区切る。境界面２０は、内部域１２Ａにおいて吸着容器１２の上端部２６から距離Ｄを置いて位置する。距離Ｄの大きさは、ＷＦＧＤシステム１０の運転状況に依存し、運転状況と共に変化してよい。ＷＦＧＤシステム１０は、吸着容器１２のスラリー区分１４に流体接続された水銀除去容器２８を備える。水銀除去容器２８は、その中に配置された活性炭３０を含む内部域２８Ａを備える。１つの態様では、活性炭３０は、本明細書に記載のように、堆積物の状態で、水銀除去容器２８内に配置されている。活性炭３０は、後述のように、水銀除去容器２８に受け取られた試薬スラリー１６からほぼ全ての水銀を除去するように働く。
【００１２】
吸着容器１２は、吸着容器１２の底部１８から境界面２０（境界面２０は試薬スラリー１６と煙道ガス３４Ａとを区切る）に向けて上方に延在する、試薬スラリー１６を収容するためのスラリー区分１４を画定して図示されかつ説明されているが、本開示はこれに制限されるものではなく、煙道ガス３４Ａと試薬スラリー１６との間の効果的な接触のためにその中に所定の区分を画定する構成を含むがこれに制限されない他の吸着器構造を用いてよい。
【００１３】
吸着容器１２は、吸着容器の内部域１２Ａにおいて処理するために、煙道ガス３４を受け取るための第１の入口３２を有する。吸着容器１２は、同様に、試薬スラリー１６をエアレーションするために、圧縮機４０により供給される空気３８を内部域１２Ａに受け取るための第２の入口３６を有する。吸着容器１２は、内部域１２Ａに試薬２３を受け取るための第３の入口４８を有し、そして、水銀除去容器２８の出口５３から排出される処理済みのスラリー５２を内部域１２Ａに受け取るための第４の入口５０を有する。１つの態様では、水銀除去容器２８は、吸着容器１２から分離されている。
【００１４】
吸着容器１２は、第１の入口３２、第２の入口３６、第３の入口４８及び第４の入口５０を有して図示されかつ説明されているが、吸着容器は、あらゆる数の入口をあらゆる位置に有してよい。１つの態様では、処理済みのスラリーは、吸着器１２に戻される前に別の容器に導かれる。
【００１５】
吸着容器１２は、同様に、内部域１２Ａから処理済みの煙道ガス２４を排出するための第１の出口５４を有する。吸着容器１２は、更に、内部域１２Ａから試薬スラリー１６をポンプ５８の入口５８Ａに排出するためにスラリー区分１４に流体接続された第２の出口５６を有する。ポンプ５８の出口５８Ｂは、水銀除去容器２８の入口６０に流体接続されている。ポンプ５８は、ポンプ５８を通して水銀除去容器２８の内部域２８Ａに試薬スラリーを圧送するように構成されている。１つの態様では、ポンプ５８は、遠心ポンプである。吸着容器１２の第２の出口５６は、吸着容器１２のスラリー区分１４に（つまり境界面２０の下側に）位置するので、試薬スラリー１６は、水銀除去容器２８における処理（つまり水銀除去）のために吸着容器１２から排出することができる。スラリー区分１４に第２の出口５６を配置することにより、処理済みの煙道ガス２４が第２の出口を通して吸着容器１２から退出することが阻止される。加えて、第２の出口５６は、煙道ガス３４が水銀除去容器２８にガスとして流れるのではなく、吸着容器１２において処理されるように十分な距離Ｄ１だけ境界面２０から離間している。１つの態様では、第２の出口５６は、水銀除去容器２８の入口６０に流体接続されている。１つの態様では、水銀除去容器２８の入口６０は、第２の出口５６の下流側に位置決めされている。ポンプ５８は、吸着容器１２と水銀除去容器２８との間に設置されるように図示されかつ説明されているが、本開示はこれに制限されるものではなく、吸着容器及と銀除去容器とは、ポンプを設けずに、第２の出口５６と入口６０との間で相互に直接に接続してもよい。
【００１６】
再循環ループ５１が、吸着容器をポンプ５７に流体連結する管路５５を介して、吸着容器１２に流体接続されている。別の管路５９が、ポンプ５７を吸着容器１２に流体連結する。試薬スラリー１６は、管路５９を通して分配ヘッダ５９Ａに圧送され、試薬滴１６Ａとして、複数のノズル５９Ｂを介して吸着器１２の処理域１５内に分散される。試薬滴１６Ａは、煙道ガス３４に接触し、煙道ガス３４から汚染物を吸着する。試薬スラリー１６は、分配ヘッダ５９Ａに圧送され、試薬滴としてノズル５９Ｂを介して吐出されるように図示されかつ説明されているが、本開示はこれに制限されるものではなく、煙道ガスと試薬スラリー１６との間の接触を生じさせるための別の構成を用いてよく、この別の構成は、煙道ガスと試薬とを吸着容器内に配置されたバッフルプレート、混合ブレード及び／又はスクリーンを通してクロスフローさせることを含むが、これに制限されない。
【００１７】
１つの態様では、活性炭３０は、水銀除去容器２８の内部域２８Ａに堆積物の状態で配置されており、活性炭の小片は上下に重なり合っている。細片、砂及び／又は粒の状態の活性炭３０を用いてよい。活性炭３０の個々の細片及び／又は粒は、自己支持構造を形成しつつ相互に支持されている。１つの態様では、活性炭３０の細片及び／又は粒は、繊維の網状体、メッシュ、織物、１つ又は２つ以上のスクリーン等に埋め込まれておらず、取り付けられておらず又は支持されていない。１つの態様では、活性炭３０は、活性炭を容器内に留めおく一方で試薬スラリーを通流させることができるようなサイズの通路を有する透過性のコンテナ２８Ｂ（例えばネット、孔付きのバスケット又はケージ）内に配置されている。１つの態様では、活性炭３０は、試薬スラリー１６がこれを通流するときに、定位置である。更に別の１つの態様では、活性炭３０は、コンテナ２８Ｂ又は水銀除去容器２８の内側において、試薬スラリーがこれを通流するかつ／又は水銀を多く含有する排出液と混ざり合う間、流動床として移動する。
【００１８】
１つの態様では、スクリーン６２が、出口５３にかつ／又は出口５３に近接して水銀除去容器２８に配置されている。スクリーン６２は、活性炭３０が水銀除去容器２８から退出する又は処理された試薬スラリー１６に連行されることを阻止するように構成されている。従って、活性炭３０は、水銀除去容器２８の内部域２８Ａに保持される。十分な量の活性炭３０が水銀除去容器２８内に配置されており、これにより、水銀除去容器に搬送された試薬スラリー１６に含まれるほぼ全ての水銀（つまり少なくとも９０％）が捕捉される。１つの態様では、水銀除去容器２８は、入口６０及び出口５３に近接して位置決めされた連結装置６４を有する筒型金属容器の態様で構成されており、これにより、活性炭３０が水銀で飽和するときに水銀除去容器２８の交換が容易になる。１つの態様では、水銀除去容器２８は、使い捨てに構成されている。１つの態様では、活性炭３０は、例えば移動床を介して水銀容器２８の中へかつ水銀容器２８から外へ搬送される。活性炭の移動床は、水銀除去プロセスを停止又は中断する必要なく、水銀除去のために適量の活性炭の供給と、水銀を多く含有する活性炭の十分な除去率とを提供する。
【００１９】
活性炭３０の細片及び／又は粒の堆積物が水銀除去容器２８内に配置されていると記載されているが、本開示はこれに制限されるものではなく、繊維の網体、メッシュ、織物、１つ又は２つ以上のスクリーン又はこれらの組み合わせを使用してよく、これにより、細片及び／又は粒が相互に支持される、位置決めされる、かつ／又は離間して配置する、又は、水銀除去容器２８の中へのかつ水銀除去容器２８から外への活性炭３０の配置及び／又は除去が容易になる。
【００２０】
本開示は、ＷＦＧＤシステム１０を運転する方法を含み、この方法では、吸着容器１２に、スラリー区分１４に含まれる試薬スラリー１６が供給される。水銀除去容器２８は、第２の出口５６に流体接続されている。水銀除去容器２８は、その中に配置された活性炭３０を含む。１つの態様では、活性炭３０の堆積物が水銀除去容器２８内に配置されている。本方法は、第４の入口４８を介して吸着容器１２に試薬２３を供給することを含む。煙道ガス３４は、第１の入口３２を介して吸着容器１２に運ばれる。煙道ガス３４は、試薬スラリー１６と混合して化学反応し、これにより、煙道ガス３４から水銀と二酸化硫黄とを含む汚染物が除去される。その結果、試薬スラリー１６は、水銀を多く含有する。水銀を多く含有する試薬スラリー１６の一部は、ポンプ５８を介して吸着容器１２から水銀除去容器２８に導かれる。水銀除去容器２８内に配置された活性炭３０は、水銀を多く含有する試薬スラリー１６から水銀を吸着し、処理済みの試薬スラリー５２が生成される。１つの態様では、活性炭は、水銀を多く含有する試薬スラリー１６から水銀を吸着する。その中に極めて低いレベルの水銀を含む（試薬スラリー１６の容積に対して）反応済みの試薬スラリー５２は、水銀除去容器２８から吸着容器１２に排出される。１つの態様では、試薬スラリー１６は、圧縮空気３８を第２の入口３６を通して吸着容器１２に流すことによりエアレーションされる。
【００２１】
図２のＷＦＧＤシステム１１０は、図１に示されたＷＦＧＤシステム１０と同様であり、従って、同一の要素は、符号１を前に付けた同一の符号で示されている。ＷＦＧＤシステム１１０は、そこに供給された煙道ガス１３４から汚染物を除去するように働く吸着容器１１２を有する。吸着容器１１２は、内部域１１２Ａを有し、内部域１１２Ａの一部は、試薬スラリー１１６を収容するためのスラリー区分１１４を画定する。吸着容器１１２は、スラリー区分１１４に流体接続された第２の出口１５６を備える。ＷＦＧＤシステム１１０は、脱水システム１７０を備える。脱水システム１７０は、第２の出口１５６に流体接続されている。ＷＦＧＤシステム１１０は、脱水システム１７０の下流側に位置決めされ脱水システム１７０に流体接続された水銀除去容器１２８を備える。水銀除去容器１２８の出口１５３は、吸着容器１１２に処理済みの排出液１５２を供給するために、吸着容器１１２の第４の入口１５０に流体接続されている。水銀除去容器１２８は、水銀除去容器１２８の内部域１２８Ａ内に配置された活性炭１３０を含む。１つの態様では、活性炭１３０の堆積物は、水銀除去容器１２８の内部域１２８Ａ内に配置されている。
【００２２】
図２に示されているように、脱水システム１７０は、ポンプ１７２を備える。ポンプ１７２は、管路１７４を介して第２の出口１５６に流体接続された入口１７２Ａを有する。脱水分級機１７６が、ポンプ１７２の下流側に位置決めされている。脱水分級機１７６の入口１７６Ａは、管路１７８を介してポンプ１７２の出口１７２Ｂに流体接続されている。脱水分級機１７６は、試薬スラリーから固形物を分離するように構成されている。例えば、脱水分級機１７６は、試薬スラリー１１６を脱水するように構成されており、これにより、約５０パーセントの固形物の下流への流れ１８２が形成される。１つの態様では、脱水分級機１７６は、１つ又は２つ以上のハイドロサイクロンを備える。脱水システム１７０は、脱水分級機１７６の下流側に位置決めされた固形物移送タンク１８０を備える。固形物移送タンク１８０は、入口１８０Ａを備える。入口１８０Ａは、管路１８２を介して脱水分級機１７６の出口１７８Ｂに流体接続されている。脱水システム１７０は、固形物移送タンク１８０の下流側に位置決めされた別のポンプ１８４を備える。このポンプ１８４は、入口１８４を備える。入口１８４Ａは、管路１８６を介して固形物移送タンク１８０の出口１８０Ｂに流体接続されている。脱水システム１７０は、ポンプ１８４の下流側に位置決めされたフィルタ１８８を備える。フィルタ１８８は、入口１８８Ａを備える。入口１８８Ａは、ポンプ１８４の出口１８４Ｂに流体接続されている。フィルタ１８８は、液体出口１８８Ｂを備える。液体出口１８８Ｂは、排出液容器１７５に流体接続されている。排出液容器１７５は、出口１７５Ａを有する。出口１７５Ａは、ポンプ１５８の入口１５８Ａに流体接続されている。フィルタ１８８は、更に、これに制限されるものではないが石膏のような固形物を排出するための固形物出口１８８Ｃを備える。フィルタ１８８は、更に、石膏を洗浄しかつ作り出すための水供給部１８９を備える。脱水分級機１７６は、出口１７６Ｃを備える。出口１７６Ｃは、管路１７７を介して排出液容器１７５の入口１７５Ｂに流体接続されている。１つの態様では、排出液の流れ１１６Ａの一部が、管路１９０Ａを介して吸着機１１２に戻される。ＷＦＧＤシステム１１０は、ポンプ１５８を備えて図示されかつ説明されているが、本開示はこれに制限されるものではなく、ポンプ１５８を設ける必要はない。
【００２３】
水銀除去容器１２８は、ポンプ１５８の下流側に位置決めされている。水銀除去容器１２８の入口１６０は、管路１９０を介してポンプ１５８の出口１５８Ｂに流体接続されている。水銀除去容器１２８は、吸着容器１１２に流体接続されている。特に、水銀除去容器１２８の出口１５３は、導管１５２を介して吸着容器１１２の第４の入口１５０に流体接続されている。加えて、バイパス管路１９０Ａが、管路１９０及び管路１５２に流体接続されており、これにより、排出液１１６Ａの一部は水銀除去容器１２８をバイパスすることができる。
【００２４】
脱水システム１７０は、ポンプ１７２と、固形物移送タンク１８０と、フィルタ１８８と、水供給部１８９と、脱水分級機１７６とを備えるように図示されかつ説明されているが、本開示はこれに制限されるものではなく、ポンプを有しないもの及び／又はフィルタ及び水洗浄システムだけを有するものを含むがこれに制限されない別の脱水システム構造を使用してよい。
【００２５】
本開示は、ＷＦＧＤシステム１１０を運転する方法を含む。本方法は、吸着容器１１２を提供することを含む。吸着容器１１２は、スラリー区分１１４に収容される試薬スラリー１１６を含む。吸着容器１１２は、内部域１１２Ａのスラリー区分１１４に流体接続された第２の出口１５６を備える。更に、第２の出口１５６に流体接続された脱水システム１７０が設けられている。水銀除去容器１２８は、脱水システム１７０の下流側に位置決めされていて、脱水システム１７０に流体接続されている。水銀除去容器１２８は、水銀除去容器１２８の内部域１２８Ａ内に配置された活性炭１３０を含む。１つの態様では、活性炭１３０は、水銀除去容器１２８内で自己支持されている。本方法は、第３の入口１４８を介して吸着容器１１２に試薬１２３を供給することを含む。試薬１１６は、第２の入口１３６を通して吸着容器１１２に圧縮空気１３８を流すことによりエアレーションされる。煙道ガス１３４は、第１の入口１３２を介して吸着容器１１２に運ばれる。煙道ガス１３４は、試薬スラリー１１６と混合して化学反応し、煙道ガス１３４から水銀と二酸化硫黄とを含む汚染物が除去される。その結果、試薬スラリー１１６は、水銀を多く含有する。水銀を多く含有する試薬スラリー１１６の一部は、吸着容器１１２から脱水システム１７０に導かれる。脱水システム１７０は、水銀を多く含む試薬スラリー１１６から固形物を分離して、これにより、水銀を多く含有する排出液１１６Ａが生成される。水銀を多く含有する排出液又は排出液の一部は、ポンプ１５８を介して水銀除去容器１２８に運ばれる。水銀除去容器１２８内に配置された活性炭１３０は、水銀を多く含有する排出液１１６Ａから水銀を吸着し、これにより、処理済みの排出液１５２が生成される。その中に極めて低いレベルの水銀を含む処理済みの排出液１５２は、水銀除去容器１２８から吸着容器１１２に排出される。１つの態様では、処理済みの排出液１５２は、吸着容器１１２に戻される前に、ＷＦＧＤシステムに設けられた別の容器に運ばれる。１つの態様では、固形物が、水銀を多く含有する試薬スラリー１１６から分離され、これにより、水銀を多く含有する排出液の流れが形成される。この水銀を多く含有する排出液は、脱水システム１７０に導入される、水銀を多く含有する試薬スラリーよりも極めて低いレベルの浮遊物を有する。
【００２６】
本開示は、例示的な様々な態様に関して説明されているが、当業者により、本発明の範疇から逸脱することなく様々な変化形態を作り出したり、同等の形態を様々な変化形態の要素に代用したりしてよいことが理解される。加えて、実質的な本発明の範疇から逸脱することなく本発明の思想に対する特別な状況や実態に適応させるために多くの改良形態を作り出すことができる。ゆえに、本発明は、本発明を実施するために予想される最良の形態として開示された特別な態様に限定されるものではなく、従属請求項の範疇に含まれる全ての態様を含むことが意図されている。
【図１】
2015509845.tif 000003
【図２】
2015509845.tif 000004
【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
湿式煙道ガス脱硫システム（１０，１１０）であって、
吸着容器に供給された煙道ガスから汚染物を除去するように働き、試薬スラリー（１６，１１６）を収容するためのスラリー区分（１４，１１４）と該スラリー区分（１４，１１４）に流体接続された出口（５６，１５６）とを有する、吸着容器（１２，１１２）と、
前記出口（５６）に流体接続され、その中に配置された活性炭（３０，１３０）を含む、水銀除去容器（２８，１２８）と、
を備えることを特徴とする、煙道ガス脱硫システム。
【請求項２】
前記出口（５６，１５６）に流体接続された脱水システム（１７０）と、
前記脱水システム（１７０）に流体接続されかつ前記脱水システム（１７０）の下流側に位置決めされた水銀除去容器（２８，１２８）と、
を更に含む、請求項１記載の煙道ガス脱硫システム。
【請求項３】
前記出口（５６，１５６）に流体接続された脱水システム（１７０）を備え、
脱水システム（１７０）は、脱水分級機（１７６）と、固形物移送タンク（１８０）と、排出液容器（１７５）と、フィルタ（１８８）とを備え、前記脱水分級機（１７６）は、前記吸着容器（１２，１１２）の下流側に位置決めされかつ前記吸着容器（１２，１１２）に流体接続されており、前記固形物移タンク（１８０）は、前記脱水分級機（１７６）の下流側に位置決めされかつ前記脱水分級機（１７６）に流体接続されており、前記フィルタ（１８８）は、前記固形物移送タンク（１８０）の下流側に位置決めされかつ前記固形物移送タンク（１８０）に流体接続されており、前記排出液容器（１７５）は、前記フィルタ（１８８）及び前記脱水分級機（１７６）の下流側に位置決めされかつ前記フィルタ（１８８）及び前記脱水分級機（１７６）に流体接続されており、前記水銀除去容器（２８，１２８）は、前記排出液容器（１７５）の下流側に位置決めされかつ前記排出液容器（１７５）に流体接続されていてかつ前記吸着容器（１２，１１２）に流体接続されている、請求項１記載の湿式煙道ガス脱硫システム。
【請求項４】
活性炭（３０，１３０）は、堆積物、移動床、流動床のうちの１つとして前記水銀除去容器（２８，１２８）内に配置されていて、水銀を多く含有する排出液（１１６Ａ）と混合される、請求項１記載の湿式煙道ガス脱硫システム。
【請求項５】
活性炭（３０，１３０）は、前記水銀除去容器（２８，１２８）に受け取られた試薬スラリー（１６，１１６）からほぼ全ての水銀を除去するように働く、請求項１記載の湿式煙道ガス脱硫システム。
【請求項６】
活性炭（３０，１３０）は、細片及び／又は粒の状態で存在する、請求項１記載の湿式煙道ガス脱硫システム。
【請求項７】
前記水銀除去容器（２８，１２８）は、当該湿式煙道ガス脱硫システム（１０，１１０）内に取外し可能に位置決めされている、請求項１記載の湿式煙道ガス脱硫システム。
【請求項８】
前記水銀除去容器（２８，１２８）は、前記吸着容器（１２，１１２）に流体接続された出口（５３，１５２）を有する、請求項１記載の湿式煙道ガス脱硫システム。
【請求項９】
湿式煙道ガス脱硫システム（１０，１１０）を運転する方法であって、
吸着容器（１２，１１２）を設け、該吸着容器（１２，１１２）は、試薬スラリー（１６，１１６）を収容するためのスラリー区分（１４，１１４）と、該スラリー区分（１４，１１４）に流体接続された出口（５６，１５６）とを有し、該出口（５６，１５６）は、水銀除去容器（２８，１２８）に流体接続されており、該水銀除去容器（２８，１２８）は、その中に配置された活性炭（３０，１３０）を含み、
前記吸着容器（１２，１１２）に試薬及び水を供給し、
水銀を含む煙道ガスを前記吸着容器（１２，１１２）に流し、
試薬スラリー（１６，１１６）が水銀を吸着し、水銀を多く含有する試薬スラリー（１６，１１６）を生成し、
水銀を多く含有する試薬スラリー（１６，１１６）の一部を前記水銀除去容器（２８，１２８）に供給し、
前記水銀除去容器内（２８，１２８）に配置された活性炭（３０，１３０）により、水銀を多く含有する試薬（１６，１１６）から水銀を吸着し、これにより、処理済みの試薬スラリー（５２，１５２）を生成する、
ことを特徴とする、湿式煙道ガス脱硫システムを運転する方法。
【請求項１０】
処理済み試薬スラリー（５２，１５２）を前記吸着容器（１２，１１２）に供給する、請求項９記載の方法。
【請求項１１】
活性炭（３０，１３０）を、堆積物、移動床、流動床のうちの１つとして前記水銀除去容器（２８，１２８）内に配置し、水銀を多く含有する排出液（１１６Ａ）と混合させる、請求項９記載の方法。
【請求項１２】
湿式煙道ガス脱硫システム（１０，１１０）を運転する方法であって、
吸着容器（１２，１１２）を設け、該吸着容器（１２，１１２）は、試薬スラリー（１６，１１６）を収容するためのスラリー区分（１４，１１４）と、該スラリー区分（１４，１１４）に流体接続された出口（５６，１５６）とを有し、
前記出口（５６，１５６）に流体接続された脱水システム（１７０）を設け、
水銀除去容器（２８，１２８）を設け、該水銀除去容器（２８，１２８）は、前記脱水システム（１７０）に流体接続されかつ前記脱水システム（１７０）の下流側に位置決めされており、前記水銀除去容器（２８，１２８）は、その中に配置された活性炭（３０，１３０）を含み、
前記吸着容器（１２，１１２）に試薬及び水を供給し、
水銀を吸着して、水銀を多く含有する試薬スラリーを生成するために、水銀を含む煙道ガスを前記吸着容器（１２，１１２）に流し、
水銀を多く含有する試薬スラリー（１６，１１６）の一部を前記脱水システム（１７０）に供給し、水銀を多く含有するスラリー（１６，１１６）から固形物を分離して、水銀を多く含有する排出液（１１６Ａ）を生成し、
水銀を多く含有する排出液（１１６Ａ）を前記水銀除去容器（２８，１２８）に供給し、
前記水銀除去容器（２８，１２８）において活性炭（３０，１３０）により水銀を多く含有する排出液（１１６Ａ）から水銀を吸着し、これにより、処理済みの排出液（５２，１５２）を生成する、
ことを特徴とする、湿式煙道ガス脱硫システムを運転する方法。
【請求項１３】
処理済みの排出液（５２，１５２）を前記吸着容器（１２，１１２）に供給する、請求項１２記載の方法。
【請求項１４】
活性炭（３０，１３０）を、堆積物、移動床、流動床として前記水銀除去容器（２８，１２８）内に配置し、水銀を多く含有する排出液（１１６Ａ）と混合させる、請求項１２記載の方法。
【国際調査報告】
2015509845.tif 000005
2015509845.tif 000006